(57)【要約】【課題】色を鮮やかに見せるための演色評価方法を規定し、且つこの演色評価方法に基づき光源を構成したことで、色を鮮やかに見せる照明光を照射できる光源を構成すること。【解決手段】  照明装置は、赤色ＬＥＤと；緑色ＬＥＤと；青色ＬＥＤと；青色発光素子と黄色蛍光体とによって構成される白色ＬＥＤと；を有し、赤色ＬＥＤ２６〜３８％；緑色ＬＥＤ３５〜５０％；青色ＬＥＤ０〜２％し；白色ＬＥＤ１２〜３３％とし；赤色、緑色、青色及び白色ＬＥＤからの光を加法混色得る白色光が、相関色温度が２８００Ｋ以上３５００Ｋ未満、偏差０．０２以内であり、色域面積比が１２０％以上１４０％以下であることを特徴とする。【選択図】図１
2011204659.tif 000002
【特許請求の範囲】
【請求項１】
発光スペクトルのピーク波長が６１０〜６３０ｎｍ、半値幅が１０〜２０ｎｍの範囲にある赤色ＬＥＤと；
発光スペクトルのピーク波長が５００〜５２０ｎｍ、半値幅が２０〜３０ｎｍの範囲にある緑色ＬＥＤと；
発光スペクトルのピーク波長が４５０〜４７０ｎｍ、半値幅が１０〜２０ｎｍの範囲にある青色ＬＥＤと；
青色発光素子と黄色蛍光体とによって構成される白色ＬＥＤと；
を有し、
前記赤色ＬＥＤの光を光束比で２６〜３８％発生し；
前記緑色ＬＥＤの光を光束比で３５〜５０％発生し；
前記青色ＬＥＤの光を光束比で０〜２％発生し；
前記白色ＬＥＤの光を光束比で１２〜３３％発生し；
前記赤色、緑色、青色及び白色ＬＥＤからの光を加法混色して白色光を得るものであって、
前記白色光は、相関色温度が２８００Ｋ以上３５００Ｋ未満、偏差の絶対値が０．０２以内であり、試験光でＪＩＳ演色評価試験色Ｎｏ．１〜８を照らしたときの色度座標上の８点を結んで形成される色域面積と前記ＪＩＳ演色評価試験色Ｎｏ．１〜８を基準光で照らしたときの色度座標上の８点を結んで形成される色域面積との比を色域面積比として前記試験光を前記白色光とした場合の色域面積比が１２０％以上１４０％以下であることを特徴とする照明装置。
【請求項２】
前記赤色ＬＥＤの光を光束比で１８〜３１％発生し；
前記緑色ＬＥＤの光を光束比で２８〜４６％発生し；
前記青色ＬＥＤの光を光束比で０〜２％発生し；
前記白色ＬＥＤの光を光束比で２３〜５２％発生し；
前記赤色、緑色、青色及び白色ＬＥＤからの光を加法混色して白色光を得るものであって、
前記白色光は、相関色温度が３５００Ｋ以上５０００Ｋ未満、偏差の絶対値が０．０２以内であり、前記試験光を前記白色光とした場合の色域面積比が１２０％以上１４０％以下であることを特徴とする請求項１に記載の照明装置。
【請求項３】
前記赤色ＬＥＤの光を光束比で１８〜３０％発生し；
前記緑色ＬＥＤの光を光束比で２８〜５７％発生し；
前記青色ＬＥＤの光を光束比で０〜３％発生し；
前記白色ＬＥＤの光を光束比で１５〜５２％発生し；
前記赤色、緑色、青色及び白色ＬＥＤからの光を加法混色して白色光を得るものであって、
前記白色光は、相関色温度が５０００Ｋ以上１００００Ｋ以下、偏差の絶対値が０．０２以内であり、前記試験光を前記白色光とした場合の色域面積比が１１０％以上１４０％以下であることを特徴とする請求項１に記載の照明装置。
【請求項４】
前記赤色、緑色、青色及び白色ＬＥＤは、いずれも複数設けられ；
前記赤色、緑色、青色及び白色ＬＥＤのうち補色関係を有するＬＥＤ同士を近接配置すると共に、同一種類のＬＥＤ同士を点対称に配置することを特徴とする請求項１に記載の照明装置。
【請求項５】
入射した光の赤色成分、緑色成分及び青色成分を検出するＲＧＢセンサと；
前記赤色、緑色、青色及び白色ＬＥＤからの光を透過させると共に反射させる拡散板と；
前記赤色、緑色、青色及び白色ＬＥＤからの直接光を阻止し前記拡散板からの混光を前記ＲＧＢセンサに与える遮光部材と；
前記ＲＧＢセンサの検出結果に基づいて、前記赤色、緑色、青色及び白色ＬＥＤからの光の光束比を一定に制御する制御部と；
を具備したことを特徴とする請求項１に記載の照明装置。
【請求項６】
赤色ＬＥＤと、緑色ＬＥＤと、記青色ＬＥＤと、白色ＬＥＤからの各色光を加法混色して、照明光を照射する光源を有し、
前記光源は、
試験光でＪＩＳ演色評価試験色Ｎｏ．９〜１２を照らしたときの色度座標上の４点を結んで形成される色域面積と前記ＪＩＳ演色評価試験色Ｎｏ．９〜１２を基準光で照らしたときの色度座標上の４点を結んで形成される色域面積との比を色域面積比として前記試験光を前記光源から照射された照明光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であり、相関色温度が２８００Ｋ以上５０００Ｋ未満であり、偏差ｄｕｖの絶対値が０．０２以内であることを特徴とする照明装置。
【請求項７】
前記光源は、
前記試験光を前記光源から照射された照明光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が３以上であり、相関色温度が２８００Ｋ以上３５００Ｋ未満であり、偏差ｄｕｖの絶対値が０．０２以内であることを特徴とする請求項６に記載の照明装置。
【請求項８】
前記光源は、
前記試験光を前記光源から照射された照明光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が２以上であり、相関色温度が５０００Ｋ以上であり、偏差ｄｕｖの絶対値が０．０２以内であることを特徴とする請求項６に記載の照明装置。
【請求項９】
前記光源は、
前記試験光を前記光源から照射された照明光とした場合の色域面積比が１０５％以上１４０％以下であり、前記光源から照射された照明光によりＪＩＳ演色評価試験色Ｎｏ．９の色票を照らしたときの第１の色度をａ＊ｂ＊色度座標図上に配置し、前記ａ＊ｂ＊色度座標図上における前記第１の色度のａｂ色相角ｈａｂ（Ｎｏ．９）が０°〜４５°の領域又は３１５°〜３６０°の領域であり、前記照明光によりＪＩＳ演色評価試験色Ｎｏ．１１の色票を照らしたときの第２の色度をａ＊ｂ＊色度座標図上に配置し、前記ａ＊ｂ＊色度座標図上における前記第２の色度のａｂ色相角ｈａｂ（Ｎｏ．１１）が１３５°〜２２５°の領域であり、相関色温度が２８００Ｋ以上５０００Ｋ未満であり、偏差ｄｕｖの絶対値が０．０２以内であることを特徴とする請求項６に記載の照明装置。
【請求項１０】
前記光源は、
前記試験光を前記光源から照射された照明光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であり、相関色温度が２８００Ｋ以上５０００Ｋ未満であり、偏差ｄｕｖの絶対値が０．０２以内であり、更に、前記照明光によりＪＩＳ演色評価試験色Ｎｏ．９の色票を照らしたときの第１の色度をａ＊ｂ＊色度座標図上に配置し、前記ａ＊ｂ＊色度座標図上における前記第１の色度のａｂ色相角ｈａｂ（Ｎｏ．９）が０°〜４５°の領域又は３１５°〜３６０°の領域であることを特徴とする請求項６に記載の照明装置。
【請求項１１】
前記光源は、
前記試験光を前記光源から照射された照明光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が３以上であり、相関色温度が２８００Ｋ以上３５００Ｋ未満であり、偏差ｄｕｖの絶対値が０．０２以内であり、更に、前記照明光によりＪＩＳ演色評価試験色Ｎｏ．１１の色票を照らしたときの第２の色度をａ＊ｂ＊色度座標図上に配置し、前記ａ＊ｂ＊色度座標図上における前記第２の色度のａｂ色相角ｈａｂ（Ｎｏ．１１）が１３５°〜２２５°の領域であることを特徴とする請求項６に記載の照明装置。
【請求項１２】
前記光源は、
前記試験光を前記光源から照射された照明光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が２以上であり、相関色温度が５０００Ｋであり、偏差ｄｕｖの絶対値が０．０２以内であり、更に、前記照明光によりＪＩＳ演色評価試験色Ｎｏ．１１の色票を照らしたときの第２の色度をａ＊ｂ＊色度座標図上に配置し、前記ａ＊ｂ＊色度座標図上における前記第２の色度のａｂ色相角ｈａｂ（Ｎｏ．１１）が１３５°〜２２５°の領域であることを特徴とする請求項６に記載の照明装置。
【請求項１３】
前記赤色、緑色、青色及び白色ＬＥＤからの光を加法混色して白色光を得るものであって、
前記白色光は、前記試験光を前記白色光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であることを特徴とする請求項１に記載の照明装置。
【請求項１４】
前記赤色、緑色、青色及び白色ＬＥＤからの光を加法混色して白色光を得るものであって、
前記白色光は、前記試験光を前記白色光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であることを特徴とする請求項２に記載の照明装置。
【請求項１５】
前記赤色、緑色、青色及び白色ＬＥＤからの光を加法混色して白色光を得るものであって、
前記白色光は、前記試験光を前記白色光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であることを特徴とする請求項３に記載の照明装置。
【請求項１６】
前記赤色、緑色、青色及び白色ＬＥＤからの光を加法混色して白色光を得るものであって、
前記白色光は、前記試験光を前記白色光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が３以上であることを特徴とする請求項１に記載の照明装置。
【請求項１７】
前記赤色、緑色、青色及び白色ＬＥＤからの光を加法混色して白色光を得るものであって、
前記白色光は、前記試験光を前記白色光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が３以上であることを特徴とする請求項２に記載の照明装置。
【請求項１８】
前記赤色、緑色、青色及び白色ＬＥＤからの光を加法混色して白色光を得るものであって、
前記白色光は、前記試験光を前記白色光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が２以上であることを特徴とする請求項３に記載の照明装置。
【請求項１９】
赤色ＬＥＤと、緑色ＬＥＤと、記青色ＬＥＤと、白色ＬＥＤを配設する装置本体と；
前記赤色ＬＥＤと、緑色ＬＥＤと、記青色ＬＥＤと、白色ＬＥＤの点灯状態又は消灯状態を制御する点灯装置と；
を具備したことを特徴とする請求項１に記載の照明装置。
【発明の詳細な説明】
【技術分野】
【０００１】
本発明は、発光ダイオード（ＬＥＤ：Light Emitting Diode）等の光源を備えた照明装置に関する。
【背景技術】
【０００２】
従来より、ＬＥＤ等の光源を備えた光源装置は、照明装置の白色光源として利用されている。特に、光源が青色ＬＥＤと黄色蛍光体とで構成される光源装置は、発光効率が高く、大きな光束が得られるため、白色光源の主流となっている。
【０００３】
この種の光源としては、例えば特許文献１に記載されているように、単色に発光するＬＥＤチップを有する単色発光部分と、別のＬＥＤチップを含む白色発光部分とを有し、この白色発光部分が青色に発光する青色ＬＥＤチップと、黄色に発光する蛍光体（黄色蛍光体に相当）とで構成された可変色発光ダイオード素子がある。
【０００４】
この特許文献１に記載の白色発光部分は、青色ＬＥＤが発光する青色の光を、残る３原色である赤色と緑色を組み合わせた黄色の蛍光体に当てることにより白色光を得ている。
【０００５】
ところが、このような青色ＬＥＤと黄色蛍光体とで構成される光源では、長波長域発光の成分が少ないため、特に赤色の見え方が劣ってしまうといった問題がある。すなわち、赤色の見え方が劣ってしまうことは、前記光源から照射される照明光が、赤色成分が少ない白色光であることを意味している。
【０００６】
ところで、光源の演色性を評価する方法としては、ＪＩＳ  Ｚ  ８７２６（日本工業規格ＪＩＳ：Japanese Industrial Standard、光源の演色性評価方法）で規定されたものがある。この評価方法は、１５色の試験色を、試料光源と基準となる照明光で照明したときの色ずれの大きさを数値化するものである。  
平均演色評価数（Ｒａ）は、演色評価試験色１番〜８番の８色に対する特殊演色評価数の平均値であり、特殊演色評価数（Ｒ９）は、個々の試験色に対する演色評価数である。
【０００７】
この演色性評価方法では、基準光に対する演色評価数を１００とし、色ずれが大きくなるにしたがって演色評価数は小さくなる。すなわち、演色性が良い光源は、演色評価数の数値が大きく、演色性の劣る光源は演色評価数の数値が小さくなる。
【先行技術文献】
【特許文献】
【０００８】
【特許文献１】特開２００５−１０１２９６号公報
【発明の概要】
【発明が解決しようとする課題】
【０００９】
従来、ＬＥＤ等を用いた照明装置においても、演色評価数、主に平均演色評価数（Ｒａ）を用いた演色評価方法によって、光源の演色性を評価している。しかしながら、このような演色性評価方法は、基準光源に対する相対評価であって、色を鮮やかに見せるという観点では、十分な評価方法ではなく、従来の光源装置においては色を鮮やかに見せる効果が十分に評価できないという問題があった。
【００１０】
そこで、本発明は上述した事情に鑑みてなされたもので、色を鮮やかに見せるための演色評価方法を規定し、且つこの演色評価方法に基づき光源を構成したことで、色を鮮やかに見せる照明光を照射できる照明装置を提供することを目的とする。
【課題を解決するための手段】
【００１１】
本発明の請求項１に係る照明装置は、発光スペクトルのピーク波長が６１０〜６３０ｎｍ、半値幅が１０〜２０ｎｍの範囲にある赤色ＬＥＤと；発光スペクトルのピーク波長が５００〜５２０ｎｍ、半値幅が２０〜３０ｎｍの範囲にある緑色ＬＥＤと；発光スペクトルのピーク波長が４５０〜４７０ｎｍ、半値幅が１０〜２０ｎｍの範囲にある青色ＬＥＤと；青色発光素子と黄色蛍光体とによって構成される白色ＬＥＤと；を有し、前記赤色ＬＥＤの光を光束比で２６〜３８％発生し；前記緑色ＬＥＤの光を光束比で３５〜５０％発生し；前記青色ＬＥＤの光を光束比で０〜２％発生し；前記白色ＬＥＤの光を光束比で１２〜３３％発生し；前記赤色、緑色、青色及び白色ＬＥＤからの光を加法混色して白色光を得るものであって、前記白色光は、相関色温度が２８００Ｋ以上３５００Ｋ未満、偏差の絶対値が０．０２以内であり、試験光でＪＩＳ演色評価試験色Ｎｏ．１〜８を照らしたときの色度座標上の８点を結んで形成される色域面積と前記ＪＩＳ演色評価試験色Ｎｏ．１〜８を基準光で照らしたときの色度座標上の８点を結んで形成される色域面積との比を色域面積比として前記試験光を前記白色光とした場合の色域面積比が１２０％以上１４０％以下であることを特徴とする。
【００１２】
本発明の請求項２に係る照明装置は、請求項１に記載の照明装置において、前記赤色ＬＥＤの光を光束比で１８〜３１％発生し；前記緑色ＬＥＤの光を光束比で２８〜４６％発生し；前記青色ＬＥＤの光を光束比で０〜２％発生し；前記白色ＬＥＤの光を光束比で２３〜５２％発生し；前記赤色、緑色、青色及び白色ＬＥＤからの光を加法混色して白色光を得るものであって、前記白色光は、相関色温度が３５００Ｋ以上５０００未満、偏差の絶対値が０．０２以内であり、前記試験光を前記白色光とした場合の色域面積比が１２０％以上１４０％以下であることを特徴とする。
【００１３】
本発明の請求項３に係る照明装置は、請求項１に記載の照明装置において、前記赤色ＬＥＤの光を光束比で１８〜３０％発生し；前記緑色ＬＥＤの光を光束比で２８〜５７％発生し；前記青色ＬＥＤの光を光束比で０〜３％発生し；前記白色ＬＥＤの光を光束比で１５〜５２％発生し；前記赤色、緑色、青色及び白色ＬＥＤからの光を加法混色して白色光を得るものであって、前記白色光は、相関色温度が５０００Ｋ以上１００００Ｋ以下、偏差の絶対値が０．０２以内であり、前記試験光を前記白色光とした場合の色域面積比が１１０％以上１４０％以下であることを特徴とする。
【００１４】
本発明の請求項４に係る照明装置は、請求項１に記載の照明装置において、前記赤色、緑色、青色及び白色ＬＥＤは、いずれも複数設けられ；前記赤色、緑色、青色及び白色ＬＥＤのうち補色関係を有するＬＥＤ同士を近接配置すると共に、同一種類のＬＥＤ同士を点対称に配置することを特徴とする。
【００１５】
本発明の請求項５に係る照明装置は、請求項１に記載の照明装置において、入射した光の赤色成分、緑色成分及び青色成分を検出するＲＧＢセンサと；前記赤色、緑色、青色及び白色ＬＥＤからの光を透過させると共に反射させる拡散板と；前記赤色、緑色、青色及び白色ＬＥＤからの直接光を阻止し前記拡散板からの混光を前記ＲＧＢセンサに与える遮光部材と；前記ＲＧＢセンサの検出結果に基づいて、前記赤色、緑色、青色及び白色ＬＥＤからの光の光束比を一定に制御する制御部と；を具備したことを特徴とする。
【００１６】
本発明の請求項６に係る照明装置は、赤色ＬＥＤと、緑色ＬＥＤと、記青色ＬＥＤと、白色ＬＥＤからの各色光を加法混色して、照明光を照射する光源を有し、前記光源は、試験光でＪＩＳ演色評価試験色Ｎｏ．１〜８を照らしたときの色度座標上の８点を結んで形成される色域面積と前記ＪＩＳ演色評価試験色Ｎｏ．１〜８を基準光で照らしたときの色度座標上の８点を結んで形成される色域面積との比を色域面積比として前記試験光を前記光源から照射された照明光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であり、相関色温度が２８００Ｋ以上５０００Ｋ未満であり、偏差ｄｕｖの絶対値が０．０２以内であることを特徴とする。
【００１７】
本発明の請求項７に係る照明装置は、請求項６に記載の照明装置において、前記光源は、前記試験光を前記光源から照射された照明光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が３以上であり、相関色温度が２８００Ｋ以上３５００Ｋ未満であり、偏差ｄｕｖの絶対値が０．０２以内であることを特徴とする。
【００１８】
本発明の請求項８に係る照明装置は、請求項６に記載の照明装置において、前記光源は、前記試験光を前記光源から照射された照明光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が２以上であり、相関色温度が５０００Ｋ以上であり、偏差ｄｕｖの絶対値が０．０２以内であることを特徴とする。
【００１９】
本発明の請求項９に係る照明装置は、請求項６に記載の照明装置において、前記光源は、前記試験光を前記光源から照射された照明光とした場合の色域面積比が１０５％以上１４０％以下であり、前記光源から照射された照明光によりＪＩＳ演色評価試験色Ｎｏ．９の色票を照らしたときの第１の色度をａ＊ｂ＊色度座標図上に配置し、前記ａ＊ｂ＊色度座標図上における前記第１の色度のａｂ色相角ｈａｂ（Ｎｏ．９）が０°〜４５°の領域又は３１５°〜３６０°の領域であり、前記照明光によりＪＩＳ演色評価試験色Ｎｏ．１１の色票を照らしたときの第２の色度をａ＊ｂ＊色度座標図上に配置し、前記ａ＊ｂ＊色度座標図上における前記第２の色度のａｂ色相角ｈａｂ（Ｎｏ．１１）が１３５°〜２２５°の領域であり、相関色温度が２８００Ｋ以上５０００Ｋ未満であり、偏差ｄｕｖの絶対値が０．０２以内であることを特徴とする。
【００２０】
本発明の請求項１０に係る照明装置は、請求項６に記載の照明装置において、前記光源は、前記試験光を前記光源から照射された照明光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であり、相関色温度が２８００Ｋ以上５０００Ｋ未満であり、偏差ｄｕｖの絶対値が０．０２以内であり、更に、前記照明光によりＪＩＳ演色評価試験色Ｎｏ．９の色票を照らしたときの第１の色度をａ＊ｂ＊色度座標図上に配置し、前記ａ＊ｂ＊色度座標図上における前記第１の色度のａｂ色相角ｈａｂ（Ｎｏ．９）が０°〜４５°の領域又は３１５°〜３６０°の領域であることを特徴とする。
【００２１】
本発明の請求項１１に係る照明装置は、請求項６に記載の照明装置において、前記光源は、前記試験光を前記光源から照射された照明光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が３以上であり、相関色温度が２８００Ｋ以上３５００Ｋ未満であり、偏差ｄｕｖの絶対値が０．０２以内であり、更に、前記照明光によりＪＩＳ演色評価試験色Ｎｏ．１１の色票を照らしたときの第２の色度をａ＊ｂ＊色度座標図上に配置し、前記ａ＊ｂ＊色度座標図上における前記第２の色度のａｂ色相角ｈａｂ（Ｎｏ．１１）が１３５°〜２２５°の領域であることを特徴とする。
【００２２】
本発明の請求項１２に係る照明装置は、請求項６に記載の照明装置において、前記光源は、前記試験光を前記光源から照射された照明光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が２以上であり、相関色温度が５０００Ｋであり、偏差ｄｕｖの絶対値が０．０２以内であり、更に、前記照明光によりＪＩＳ演色評価試験色Ｎｏ．１１の色票を照らしたときの第２の色度をａ＊ｂ＊色度座標図上に配置し、前記ａ＊ｂ＊色度座標図上における前記第２の色度のａｂ色相角ｈａｂ（Ｎｏ．１１）が１３５°〜２２５°の領域であることを特徴とする。
【００２３】
本発明の請求項１３に係る照明装置は、請求項１に記載の照明装置において、前記赤色、緑色、青色及び白色ＬＥＤからの光を加法混色して白色光を得るものであって、前記白色光は、前記試験光を前記白色光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であることを特徴とする。
【００２４】
本発明の請求項１４に係る照明装置は、請求項２に記載の照明装置において、前記赤色、緑色、青色及び白色ＬＥＤからの光を加法混色して白色光を得るものであって、前記白色光は、前記試験光を前記白色光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であることを特徴とする。
【００２５】
本発明の請求項１５に係る照明装置は、請求項３に記載の照明装置において、前記赤色、緑色、青色及び白色ＬＥＤからの光を加法混色して白色光を得るものであって、前記白色光は、前記試験光を前記白色光とした場合の色域面積比が１０５％以上１４０％以下であり、前記光源から照射された照明光又は基準光によりＪＩＳ演色評価試験色Ｎｏ．９の色票を照らしたときの色度をａ＊ｂ＊色度座標図上に配置し、前記ａ＊ｂ＊色度座標図上における前記照明光と前記基準光とのクロマ差が４以上であることを特徴とする。
【００２６】
本発明の請求項１６に係る照明装置は、請求項１に記載の照明装置において、前記赤色、緑色、青色及び白色ＬＥＤからの光を加法混色して白色光を得るものであって、前記白色光は、前記試験光を前記白色光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が３以上であることを特徴とする。
【００２７】
本発明の請求項１７に係る照明装置は、請求項２に記載の照明装置において、前記赤色、緑色、青色及び白色ＬＥＤからの光を加法混色して白色光を得るものであって、前記白色光は、前記試験光を前記白色光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が３以上であることを特徴とする。
【００２８】
本発明の請求項１８に係る照明装置は、請求項３に記載の照明装置において、前記赤色、緑色、青色及び白色ＬＥＤからの光を加法混色して白色光を得るものであって、前記白色光は、前記試験光を前記白色光とした場合の色域面積比が１０５％以上１４０％以下であり、前記光源から照射された照明光又は基準光によりＪＩＳ演色評価試験色Ｎｏ．１１の色票を照らしたときの色度をａ＊ｂ＊色度座標図上に配置し、前記ａ＊ｂ＊色度座標図上における前記照明光と前記基準光とのクロマ差が２以上であることを特徴とする。
【００２９】
本発明の請求項１９に係る照明装置は、請求項１に記載の照明装置において、赤色ＬＥＤと、緑色ＬＥＤと、記青色ＬＥＤと、白色ＬＥＤを配設する装置本体と；前記赤色ＬＥＤと、緑色ＬＥＤと、記青色ＬＥＤと、白色ＬＥＤの点灯状態又は消灯状態を制御する点灯装置と；を具備したことを特徴とする。
【発明の効果】
【００３０】
請求項１の発明によれば、前記赤色、緑色、青色及び白色ＬＥＤからの光の光束比を設定することで、相関色温度が２８００Ｋ以上３５００Ｋ未満、偏差の絶対値が０．０２以内、色域面積比が１２０％以上１４０％以下の白色光を得ることができる。
【００３１】
請求項２の発明によれば、前記赤色、緑色、青色及び白色ＬＥＤからの光の光束比を設定することで、相関色温度が３５００Ｋ以上５０００未満、偏差の絶対値が０．０２以内で、色域面積比が１２０％以上１４０％以下の白色光を得ることができる。
【００３２】
請求項３の発明によれば、前記赤色、緑色、青色及び白色ＬＥＤからの光の光束比を設定することで、相関色温度が５０００Ｋ以上、偏差の絶対値が０．０２以内で、色域面積比が１１０％以上１３０％以下の白色光を得ることができる。
【００３３】
請求項４の発明によれば、前記赤色、緑色、青色及び白色ＬＥＤの配置を設定することで、照射面の色むら、影の色むらを改善することができる。
【００３４】
請求項５の発明によれば、前記赤色、緑色、青色及び白色ＬＥＤからの混光の各色成分を検出して、光束比を一定に制御することで、光色を一定に維持することができる。
【００３５】
請求項６の発明によれば、赤色を鮮やかに見せることができる。
【００３６】
請求項７〜９の発明によれば、緑色を鮮やかに見せることができる。
【００３７】
請求項１０の発明によれば、被照明物を赤色として見やすくすることができる。
【００３８】
請求項１１，１２の発明によれば、被照明物を緑色として見やすくすることができる。
【００３９】
請求項１３〜１５の発明によれば、赤色を鮮やかに見せることができる。
【００４０】
請求項１６〜１８の発明によれば、緑色を鮮やかに見せることができる。
【００４１】
請求項１９の発明によれば、色を鮮やかに見せる照明光の照射の制御が可能な照明装置を構成できる。
【図面の簡単な説明】
【００４２】
【図１】本発明の光源装置を備えた照明装置の一実施の形態に係り、該照明装置の概略構成を示す構成図。
【図２】図１のＲＧＢチップ３ｂの具体的な構成を示す構成図。
【図３】白色ＬＥＤ３ａの分光分布を示すグラフ。
【図４】ＲＧＢチップ３ｂの分光分布を示すグラフ。
【図５】白色ＬＥＤ３ａとＲＧＢチップ３ｂとを合わせた光源の分光分布を示すグラフ。
【図６】基準光を１００とし、光源装置３、基準光、及び白色ＬＥＤの各照明光を用いて演色評価試験色９番〜１２番の４色を照らした場合の色度を色度図上に示した色域面積を示すグラフ。
【図７】基準光を１００とし、光源装置３、基準光、及び白色ＬＥＤの各照明光を用いて演色評価試験色１番〜８番の８色を照らした場合の色度を色度図上に示した色域面積を示すグラフ。
【図８】色域面積比等を求めるためのフローチャート。
【図９】図８のフローチャートに従って設計した照明装置の特性を説明するための説明図。
【図１０】光源装置の概略構成を示す構成図。
【図１１】図１０の光源装置が組み込まれた照明装置の外観を示す説明図。
【図１２】光源装置の平面形状を示す説明図。
【図１３】光源装置の断面形状及び点灯装置の一部を示す説明図。
【図１４】本発明の第５の実施の形態を説明するためのグラフ。
【図１５】本発明の第５の実施の形態を説明するためのグラフ。
【図１６】本発明の第５の実施の形態を説明するためのグラフ。
【図１７】本発明の第５の実施の形態を説明するためのグラフ。
【図１８】本発明の第５の実施の形態を説明するためのグラフ。
【図１９】本発明の第５の実施の形態を説明するためのグラフ。
【図２０】本発明の第６の実施の形態を説明するためのグラフ。
【図２１】本発明の第６の実施の形態を説明するためのグラフ。
【図２２】本発明の第６の実施の形態を説明するためのグラフ。
【図２３】本発明の第７の実施の形態を説明するための説明図。
【発明を実施するための最良の形態】
【００４３】
以下、図面を参照して本発明の実施の形態について説明する。  
図１は本発明の照明装置の一実施の形態に係り、該照明装置の概略構成を示す構成図である。
【００４４】
図１に示すように、本実施の形態の照明装置１は、装置本体２と、この装置本体２に配設される光源装置３と、この光源装置３の点灯状態又は消灯状態を制御する点灯装置４とを有して構成されている。
【００４５】
装置本体２は、例えば建物内の天井等に配置され、光源装置３が配設可能な形状に構成されている。尚、装置本体２は、高さの低い筐体形状、又は板形状に形成されるが、これらの形状に限定されるものではなく、光源装置３が配設可能な形状であれば良い。
【００４６】
光源装置３は、第１の白色光を発光する複数の白色ＬＥＤ３ａと、第２の白色光を発光する複数のＲＧＢチップ３ｂとを有して構成された光源を有している。この光源は、第１の白色光と第２の白色光とが混光することで白色光である照明光を発する。
【００４７】
白色ＬＥＤ３ａは、青色に発光する青色ＬＥＤチップと、黄色に発光する黄色蛍光体とで構成されている。例えば、白色ＬＥＤ３ａは、図示はしないが、青色ＬＥＤチップを覆うようにエポキシ樹脂に黄色蛍光体を分散させた樹脂部を有して構成される。
【００４８】
一方、この白色ＬＥＤ３ａとで光源を構成するＲＧＢチップ３ｂの構成を図２に示している。図２は、ＲＧＢチップ３ｂの具体的な構成を示す構成図である。
【００４９】
図２に示すように、ＲＧＢチップ３ｂは、赤色（Ｒ）に発光する赤色ＬＥＤ（ＲＬＥＤ）５ａと、緑色（Ｇ）に発光する緑色ＬＥＤ（ＧＬＥＤ）５ｂと、青色（Ｂ）に発光する青色ＬＥＤ（ＢＬＥＤ）５ｃとを有し、これらＲＧＢ各色のＬＥＤ５ａ〜５ｃが基板３ｂ１上に配設されて構成されている。
【００５０】
そして、光源装置３は、図１に示すように、前記白色ＬＥＤ３ａを装置本体２上の縦方向及び横方向に複数配設するとともに、例えば４個の白色ＬＥＤ３ａで１個のＲＧＢチップ３ｂを囲むように、複数のＲＧＢチップ３ｂを配設して構成している。
【００５１】
尚、勿論、白色ＬＥＤ３ａ及びＲＧＢチップ３ｂの配置位置は、図１に示す構成に限定されるものではなく、適宜配置位置を変更して構成しても良い。
【００５２】
図３は、前記白色ＬＥＤ３ａの分光分布を示すグラフ、図４は、前記ＲＧＢチップ３ｂの分光分布を示すグラフ、図５は、前記白色ＬＥＤ３ａとＲＧＢチップ３ｂとを合わせた光源の分光分布を示すグラフをそれぞれ示している。尚、図３から図５における横軸は波長を示し、縦軸は波長に対する相対値（相対エネルギー）を示している。
【００５３】
白色ＬＥＤ３ａは、図３の分光分布に示すように、約４３０（ｎｍ）から４５０（ｎｍ）の間にピークの相対値を有する青色成分と、約５４０（ｎｍ）から５７０（ｎｍ）の間にピークの相対値を有する黄色成分とを有した光学特性を備えている。勿論、白色ＬＥＤ３ａは、図３に示す分光分布に限定されることはなく、青色成分と黄色成分とを有していれば良い。  
そして、白色ＬＥＤ３ａによってこのような分光分布で光が照射されることにより、第１の白色光が得られる。
【００５４】
また、ＲＧＢチップ３ｂは、図４の分光分布に示すように、約４６０（ｎｍ）から４７０（ｎｍ）の間にピークの相対値を有する青色成分と、約５２０（ｎｍ）から５３０（ｎｍ）の間にピークの相対値を有する緑色成分と、約６３０（ｎｍ）から６４０（ｎｍ）の間にピークの相対値を有する赤色成分とを有した光学特性を備えている。勿論、ＲＧＢチップ３ｂは、図４に示す分光分布に限定されることはなく、青色成分と緑色成分と赤色成分を有していれば良い。  
そして、ＲＧＢチップ３ｂによってこのような分光分布で光が照射されることにより、第２の白色光が得られる。
【００５５】
本実施の形態では、光源装置３の光源は、このような分光特性の白色ＬＥＤ３ａとＲＧＢチップ３ｂとを合わせて構成されている。そのため、光源装置３の光源は、白色ＬＥＤ３ａからの第１の白色光と、ＲＧＢチップ３ｂからの第２の白色光とが混光された白色光を照明光として照射することになる。
【００５６】
この光源装置３の光源の分光分布を、図５に示している。  
すなわち、光源装置３の光源は、図５に示すように、約４６０（ｎｍ）から４７０（ｎｍ）の間にピークの相対値を有する青色成分と、約５３０（ｎｍ）から５４０（ｎｍ）の間にピークの相対値を有する緑色成分と、約６３０（ｎｍ）から６４０（ｎｍ）の間にピークの相対値を有する赤色成分とを有した光学特性を備えている。
【００５７】
このような構成とすることにより、光源装置３の光源は、図５に示すように、従来、白色ＬＥＤのみの白色光よりも、赤色成分が補われた白色光を照射することが可能となる。
【００５８】
本実施の形態では、このような特性を備えた光源装置３（光源）は、後述する光源の演色評価条件を満足するように構成されている。このような光源の演色性評価条件について、図６及び図７を用いて説明する。
【００５９】
図６は、本実施の形態の光源装置３、基準光、及び白色ＬＥＤの各照明光を用いて演色評価試験色９番〜１２番の４色を照らした場合の色度を色度図上に示した色域面積を示すグラフである。
【００６０】
また、図７は、本実施の形態の光源装置３、基準光、及び白色ＬＥＤの各照明光を用いて演色評価試験色１番〜８番の８色を照らした場合の色度を色度図上に示した色域面積を示すグラフである。
【００６１】
尚、図６及び図７において、前記ＪＩＳ  Ｚ  ８７２６で規定された、１５色の試験色の内、演色評価試験色１番〜８番の８色と演色評価試験色９番〜１２番の４色の色度については、P１〜P１２と示している。また、図６及び図７に示す破線は基準光５０を示し、一点鎖線は白色ＬＥＤ５１を示し、実線は本実施の形態の光源装置３の光源５２を示している。
【００６２】
本実施の形態の光源装置３の光源５２は、この光源５２から照射された照明光により色相が異なる少なくとも３種類以上の色票を照らしたときの色度を色度図上にそれぞれ配置し、それぞれ配置した点を結んで光源５２に対応する多角形を形成する。
【００６３】
また、光源装置３の光源５２は、この光源５２による照明光と相関色温度が等しい基準光により前記少なくとも３種類以上の色票を照らしたときの色度を前記色度図上にそれぞれ配置し、それぞれ配置した点を結んで基準光対応の多角形を形成する。
【００６４】
そして、光源装置３の光源５２は、光源５２に対応する多角形の面積と基準光に対応する多角形の面積との比が１より大きい白色光である照明光を照射できる。
【００６５】
例えば、前記ＪＩＳ  Ｚ  ８７２６で規定された、演色評価試験色９番〜１２番の４色P９〜P１２の色票に対して、基準光５０の照射光を照らし、そのときの各色度を色度図に配置（プロット）すると、図６に示すように、各色票P９〜P１２に対応する色度点９ａ、１０ａ、１１ａ、及び１２ａが得られる。
【００６６】
また、同様に、演色評価試験色９番〜１２番の４色P９〜P１２の色票に対して、白色ＬＥＤ５１の照射光を照らし、そのときの各色度を色度図に配置（プロット）すると、図６に示すように、各色票P９〜P１２に対応する色度点９ｂ、１０ｂ、１１ｂ、及び１２ｂが得られる。
【００６７】
また、同様に、演色評価試験色９番〜１２番の４色P９〜P１２の色票に対して、本実施の形態の光源装置３の光源５２の照射光を照らし、そのときの各色度を色度図に配置（プロット）すると、図６に示すように、各色票P９〜P１２に対応する色度点９ｃ、１０ｃ、１１ｃ、及び１２ｃが得られる。
【００６８】
そして、図６において、基準光５０、白色ＬＥＤ５１、及び光源装置３の光源５２に対応する色度点を結ぶことによって、４角形がそれぞれ形成される。これらの４角形の面積を、色域面積５０Ａ、５１Ａ、５２Ａとする。  
尚、基準光５０は、光源装置３の光源５２による照射光と相関色温度が等しいものとしている。
【００６９】
ここで、光源５２に対応する色度点を結ぶことにより形成される多角形の色域面積（以下、光源５２の色域面積と称す）５２Ａは、基準光５０に対応する色度点を結ぶことにより形成される多角形の色域面積（以下、基準光５０の色域面積と称す）５０Ａを１００とした場合、下記の表１に示すように１１９となる計算結果が得られた。即ち、光源５２の色域面積５２Ａと、基準光５０の色域面積５０Ａとの比が、１．１９となり、１より大きいものとなる。
【表１】
2011204659.tif 000003
【００７０】
また、白色ＬＥＤ５１に対応する色度点を結ぶことにより形成される多角形の色域面積（以下、白色ＬＥＤ５１の色域面積と称す）５１Ａは、上記表１に示すように、７６となり、この白色ＬＥＤ５１の色域面積５１Ａと、基準光５０の色域面積５０Ａとの比が、０．７６となり、本実施の形態の光源５２の色域面積比よりも下回ることが解る。
【００７１】
また、例えば、前記ＪＩＳ  Ｚ  ８７２６で規定された、演色評価試験色１番〜８番の８色P１〜P８の色票に対して、基準光５０の照射光を照らし、そのときの各色度を色度図に配置（プロット）すると、図７に示すように、各色票P１〜P８に対応する色度点１ａ、２ａ、３ａ、４ａ、６ａ、７ａ及び８ａが得られる。
【００７２】
また、演色評価試験色１番〜８番の８色P１〜P８の色票に対して、白色ＬＥＤ５１の照射光を照らし、そのときの各色度を色度図に配置（プロット）すると、図７に示すように、各色票P１〜P８に対応する色度点１ｂ、２ｂ、３ｂ、４ｂ、５ｂ、６ｂ、７ｂ及び８ｂが得られる。
【００７３】
さらに、演色評価試験色１番〜８番の８色P１〜P８の色票に対して、本実施の形態の光源装置３の光源５２の照射光を照らし、そのときの各色度を色度図に配置（プロット）すると、図７に示すように、各色票P１〜P８に対応する色度点１ｃ、２ｃ、３ｃ、４ｃ、５ｃ、６ｃ、７ｃ及び８ｃが得られる。
【００７４】
そして、図６において、基準光５０、白色ＬＥＤ５１、及び光源装置３の光源５２に対応する色度点を結ぶことによって、８角形がそれぞれ形成される。これらの８角形の面積を、色域面積５０Ａ、５１Ａ、５２Ａとする。
【００７５】
ここで、光源５２の色域面積５２Ａは、基準光５０の色域面積５０Ａを１００とした場合、上記表１に示すように１０８となる計算結果が得られた。即ち、光源５２の色域面積５２Ａと、基準光５０の色域面積５０Ａとの比が、１．０８となり、この場合も１より大きいものとなる。
【００７６】
また、この場合についても白色ＬＥＤ５１の色域面積５１Ａは、前記同様に、上記表１に示すように、７６となり、この白色ＬＥＤ５１の色域面積５１Ａと、基準光５０の５０Ａとの比が、０．７６となって、本実施の形態の光源５２の色域面積比よりも下回ることが解る。
【００７７】
ここで、演色評価試験色９番〜１２番の４色P９〜P１２の色票（赤、黄色、緑、青）は比較的彩度が高く、このような演色評価試験色９番〜１２番の色の色域面積比を光源の演色評価方法として用いることにより、比較的鮮やかな色をより鮮やかに見せる照明光として評価することができる。
【００７８】
この場合、光源装置３の照射光は、図６に示すように、特に、演色評価試験色９番の赤色の色度が基準光５０よりも大きくなっているので、白色ＬＥＤ５１に比べて大幅に、赤色を鮮やかに見せることができる白色光となる。
【００７９】
また、本実施の形態では、光源装置３の照射光を、前記ＪＩＳ  Ｚ  ８７２６で規定された、演色評価試験色１番〜８番の８色P１〜P８の色票を照らすことによって形成される色域面積５２Ａは、図７及び上記表１に示すように、基準光５０の色域面積５０Ａとの色域面積比が１．０８となり、図７に示すように、特に、演色性評価試験色１番、３番、６番、及び８番の各色の色度が基準光５０よりも大きくなっているので、白色ＬＥＤ５１に比べて大幅に、色を鮮やかに見せることができる白色光となる。
【００８０】
したがって、本実施の形態の光源装置３は、このようなＪＩＳ  Ｚ  ８７２６で規定された演色評価試験色に応じた各色域面積比が１より大きなものとなる条件を満足することで、特に赤色成分が補われた白色光を照射することが可能となる。
【００８１】
なお、基準光５０は、平均演色評価数（Ｒａ）が１００であるため、演色評価試験色１番〜８番の色票を照らすことによって得られる図６に示す試験光の色域面積の比が１に近いほど、この平均演色評価数（Ｒａ）が高くなる。
【００８２】
したがって、本実施の形態では、光源装置３の照射光を、前記ＪＩＳ  Ｚ  ８７２６で規定された、演色評価試験色１番〜８番の８色P１〜P８の色票を照らすことによって形成される色域面積５２Ａは、図６及び上記表１に示すように、基準光５０の色域面積５０Ａとの色域面積比が１．０８となり、白色ＬＥＤ５１の色域面積５１Aと基準光の色域面積５０Aとの色域面積比の０．７６よりも１に近いので、平均演色評価数（Ｒ９）も白色LED５１よりも高くなり、演色性の良好な照射光となる。
【００８３】
すなわち、色域面積比が大きいほど色を鮮やかに見せることができ、１に近いほど平均演色評価数（Ra）を１００に近づけることができる。例えば色域面積比が１よりも大きく１．２以下、好ましくは１．１以下程度が望ましい。
【００８４】
本実施の形態では、光源装置３の光源を構成する白色ＬＥＤ３ａ及びＲＧＢチップ３ｂの各光束を適宜設定することによって、色域面積を制御している。  
参考技術として例えば、各色の混光比（光束比）が、上記表１の色域面積比を得るために、  
赤：緑：青：白＝（１４．７）：（１８．８）：（３．４）：１００  となるように設定した。
【００８５】
勿論、照明光の使用用途に応じて、前記各色の混光比（光束比）を適宜変更しても良い。例えば、白の割合を少なくするとともに、赤、緑、青の割合を高くすることで、さらに色域面積５２Ａを大きくした照明光を得るようにしても良い。
【００８６】
ここで、実際に、白色ＬＥＤ３ａと、赤色ＬＥＤ５ａ、緑色ＬＥＤ５ｂ及び青色ＬＥＤ５ｃで構成されるＲＧＢチップ３ｂとで、光源装置３の光源を構成し、これらの各色を混光した場合の物の色の見え方の変化を、主観評価実験によって調べた。
【００８７】
その結果、赤色ＬＥＤ５ａ、緑色ＬＥＤ５ｂ及び青色ＬＥＤ５ｃの混光した照明光の下で、有彩色物体を観察した場合、全般的に彩度が上がって見え、照明空間がすっきり美しく見えるという結果が得られた。
【００８８】
したがって、本実施の形態によれば、色を鮮やかに見せるための演色評価方法を規定し、且つこの演色評価方法に基づき光源装置３の光源を構成したことで、色を鮮やかに見せる照明光を照射できる光源を備えた光源装置３及びその光源装置３を用いた照明装置１の実現が可能となる。
【００８９】
尚、本実施の形態では、白色ＬＥＤ３ａにＲＧＢチップ３ｂを加えたことにより、光源装置３による照射光の分光分布を変えていたが、この構成に限定されるものではなく、例えば、白色ＬＥＤ３ａに赤色ＬＥＤ５ａのみを加えて、色域面積比を制御することで例えば、赤系のものを鮮やかに見せることができる。また、照明光の使用用途、又は照らす空間に合わせて、鮮やかにみせたい色に合わせた蛍光体材料を選択し、各色の混光比を上げるように構成しても良い。
【００９０】
図８及び図９は本発明の第２の実施の形態に係り、図８は色域面積比等を求めるためのフローチャートを示し、図９は図８のフローチャートに従って設計した照明装置の特性を説明するための説明図である。
【００９１】
本実施の形態は図１と同様に構成された照明装置において、色域面積比、平均演色評価数（Ｒａ）及び効率を所望の値に設計することを可能にする。
【００９２】
上述したように、同一の相関色温度、平均演色評価数（Ｒａ）の照明であっても、色域面積比を適宜設定することで、光の色を一層鮮やかさに見せることが可能である。そして、各色ＬＥＤの混光比（光束比）を適宜設定することで、色域面積比を制御することが可能である。
【００９３】
本実施の形態においても、青色に発光する青色ＬＥＤと黄色に発光する黄色蛍光体とによって構成される白色ＬＥＤと、白色光を得るための赤色ＬＥＤ、緑色ＬＥＤ及び青色ＬＥＤの３つのＬＥＤとの計４つのＬＥＤによって光源装置を構成する。本実施の形態は、図８のフローに対応したコンピュータプログラムをコンピュータによって実行することによって、設計を行うことが可能である。
【００９４】
１種類のＬＥＤの分光分布は、複数のガウシアンの線形結合として表現され、複数のＬＥＤによる分光分布は、各ＬＥＤの半値幅、ピーク波長及び混光比を制御することによって規定することができる。本実施の形態において設計する照明装置は、所望の相関色温度、偏差を有し、且つ目標とする効率、平均演色評価数Ｒａ及び色域面積比Ｇａを有するものである。本実施の形態においては、このような光源の分光分布が得られるように、各ＬＥＤの半値幅、ピーク波長、混光比を変化させながら、最適化計算により所望の分光分布を得る。
【００９５】
先ず、ステップＳ１において、色度（ｘ，ｙ）の設定値が入力される。ｘ，ｙは、色度座標上の座標値である。本実施の形態においては、コンピュータは、白色ＬＥＤの混光比（光束比）を設定し、これに合わせて他の赤色ＬＥＤ、緑色ＬＥＤ及び青色ＬＥＤの混光比を決定する。
【００９６】
即ち、コンピュータは、ステップＳ２において、これらの４種類のＬＥＤについてピーク波長及び半値幅を夫々決定する。次に、コンピュータは、赤色ＬＥＤ、緑色ＬＥＤ及び青色ＬＥＤの混光比を算出し（ステップＳ３）、平均演色評価数Ｒａ、色域面積比Ｇａ及び効率を算出する（ステップＳ４）。
【００９７】
コンピュータは、ステップＳ４において求めた平均演色評価数Ｒａ、色域面積比Ｇａ及び効率が目標値に到達しているか否かを判定する。到達していない場合には、ステップＳ２に処理を戻して、コンピュータは、赤色ＬＥＤ、緑色ＬＥＤ及び青色ＬＥＤの混光比を再設定する。以後同様の動作により、平均演色評価数Ｒａ、色域面積比Ｇａ及び効率が目標値に到達するまでステップＳ２〜Ｓ５を繰り返す。コンピュータは、平均演色評価数Ｒａ、色域面積比Ｇａ及び効率が目標値に到達すると、ステップＳ６において、値を出力する。
【００９８】
本実施の形態においては、ステップＳ６において出力された値に基づいて、点灯装置内の図示しない制御部が各ＬＥＤの駆動を制御する。即ち、制御部は、上述のような最適化された分光分布が得られるように求められた各ＬＥＤチップの半値幅、ピーク波長、出力比を基にして、ＬＥＤを駆動制御することにより、照らされた物の色があざやかに見え、効率が良い照明装置を構成する。
【００９９】
下記表２〜５は図８に示す最適化計算の計算結果を示している。表２〜５は夫々目標とする色域面積比Ｇａとして２８００Ｋ、３５００Ｋ、５０００Ｋ又は１００００Ｋを得るための設定の一例を示している。
【０１００】
表２〜５では、各設定例毎に番号（Ｎｏ．）を付し、赤色ＬＥＤ（Ｒ）、緑色ＬＥＤ（Ｇ）、青色ＬＥＤ（Ｂ）について夫々設定されたピーク波長及び半値幅と、これらの赤色ＬＥＤ（Ｒ）、緑色ＬＥＤ（Ｇ）、青色ＬＥＤ（Ｂ）及び白色ＬＥＤ（Ｗ）の混光比を百分率で示している。そして、これらのピーク波長、半値幅及び混光比の各設定によって得られる色域面積比Ｇａ及び効率について示してある（なお、表２〜５における色域面積比Ｇａは、基準光源の色域面積を１００として示してある）。
【表２】
2011204659.tif 000004
【表３】
2011204659.tif 000005
【表４】
2011204659.tif 000006
【表５】
2011204659.tif 000007
【０１０１】
表２〜５に示すように、設定番号（Ｎｏ．）１〜１８は、色域面積比Ｇａが１２０以上であるとともに、設定番号（Ｎｏ．）１９〜３４については、色域面積比Ｇａが１１０以上であり、このような計算結果に基づいて、点灯装置内の制御部が各ＬＥＤの半値幅、ピーク波長及び混光比を設定することにより、照明装置からの照明によって色を鮮やかに見せることができる。
【０１０２】
また、下記表６は上記表２〜５から各相関色温度毎に混光比の最大値及び最小値をまとめて示し、相関色温度の変化によるそれぞれのＬＥＤの混光比の変動を示したものである。
【表６】
2011204659.tif 000008
【０１０３】
また、図９は表２の２８００Ｋ近傍の光源色である電球色、３５００Ｋ近傍の光源色である温白色、５０００Ｋ近傍の光源色である昼白色を得るための混光比と、分光分布及び色度図を対応させて示す説明図である。
【０１０４】
図９はピーク波長６３０ｎｍ、半値幅２０ｎｍの赤色ＬＥＤ、ピーク波長５２０ｎｍ、半値幅４０ｎｍの緑色ＬＥＤ、ピーク波長４６０ｎｍ、半値幅２０ｎｍの青色ＬＥＤを採用した例を示している。
【０１０５】
図９の電球色の照明装置を得る例、即ち、相関色温度（ＣＣＴ）が２８００Ｋで偏差（ｄｕｖ）の絶対値が０．００００である照明装置については、赤色ＬＥＤ（Ｒ）、緑色ＬＥＤ（Ｇ）、青色ＬＥＤ（Ｂ）及び白色ＬＥＤ（Ｗ）を、混光比２９：３８：０：３３が得られるように構成することで、色域面積比Ｇａとして１３４が得られることが分かる。
【０１０６】
同様に、相関色温度（ＣＣＴ）が３３３９Ｋで偏差（ｄｕｖ）の絶対値が０．０００８である照明装置については、赤色ＬＥＤ（Ｒ）、緑色ＬＥＤ（Ｇ）、青色ＬＥＤ（Ｂ）及び白色ＬＥＤ（Ｗ）を、混光比２５：３９：１：３５が得られるように構成することで、色域面積比Ｇａとして１３２が得られることが分かる。
【０１０７】
同様に、相関色温度（ＣＣＴ）が４９５０Ｋで偏差（ｄｕｖ）の絶対値が０．０００５である照明装置については、赤色ＬＥＤ（Ｒ）、緑色ＬＥＤ（Ｇ）、青色ＬＥＤ（Ｂ）及び白色ＬＥＤ（Ｗ）を、混光比１４：３１：２：５３が得られるように構成することで、色域面積比Ｇａとして１２１が得られることが分かる。
【０１０８】
なお、表２〜５及び図９においては、色域面積比Ｇａが目標値となる例について説明したが、平均演色評価数Ｒａ及び効率が目標値となるように構成することができることは明らかである。
【０１０９】
図１の装置において、表２〜５及び図９等の光束比を実現することが可能である。例えば、図１の各ＬＥＤに並列に図示しない抵抗を接続し、各ＬＥＤに流す電流値を点灯装置内の制御部において制御することで、光束比を制御可能である。
【０１１０】
なお、赤色ＬＥＤは、他の緑色ＬＥＤ、青色ＬＥＤ又は白色ＬＥＤに比べて、時間の経過と共に出力が急激に減少することがある。そこで、長時間の使用が想定される照明装置においては、予め赤色ＬＥＤの出力が、本来設定されるべき光束比の約１．５倍になるように制御してもよい。
【０１１１】
また加法混色する際の各ＬＥＤの出力比は必ずしも電流で制御する必要はなく、ＬＥＤの個数によって制御してもよい。例えば、全てのＬＥＤに流れる電流を一定にし、光源装置内に設ける各色のＬＥＤの個数の比を変えて出力比を変化させることにより、光束比を制御するようにしてもよい。
【０１１２】
このように本実施の形態においては、各ＬＥＤの半値幅、ピーク波長及び混光比を制御することによって、所望の相関色温度、偏差を有し、且つ目標とする効率、平均演色評価数Ｒａ及び色域面積比Ｇａを有する照明装置を得ることができる。例えば、所望の相関色温度を有しながらも、色域面積比Ｇａが１２０以上１７０以下とあざやかに見える照明用白色ＬＥＤ電球を得ることが可能となる。
【０１１３】
また、本実施の形態においては、このような照明装置の設計をプログラムによって実現することができ、設計に要する時間を短縮することができる。更に、照明装置の効率を適宜設定することができ、経済性の観点からも有利である。
【０１１４】
なお、上記実施の形態においては、白色ＬＥＤの混光比を設定する場合において、白色ＬＥＤ中の黄色蛍光体の発光を制御して白色ＬＥＤの混光比を制御するようにしてもよい。
【０１１５】
また、図８に示すプログラムでは、最適化計算によってＪＩＳ演色評価試験色Ｎｏ．１〜８についての色域面積を拡大させているが、ＪｕｄｄのＦｌａｔｔｅｒｙ  Ｉｎｄｅｘで表現される最も好ましい色の色域以内に色域面積を制限してもよい。
【０１１６】
図１０及び図１１は本発明の第３の実施の形態に係り、図１０は光源装置の概略構成を示す構成図であり、図１１は図１０の光源装置が組み込まれた照明装置の外観を示す説明図である。
【０１１７】
図１０の基板１００は図１１の筐体１１０内に配置されている。基板１００上には複数の赤色ＬＥＤ、緑色ＬＥＤ、青色ＬＥＤ及び白色ＬＥＤが配設されており、筐体１１０内には各ＬＥＤを点灯させるための図示しない点灯装置が配設されている。各ＬＥＤ及び点灯装置には、口金１１１を介して電力が供給される。筐体１１０には拡散板１１２が取り付けられ、筐体１１０内の各ＬＥＤからの出射光は、拡散板１１２を介して出射されるようになっている。
【０１１８】
本実施の形態においては、光源装置は、第１の白色光を発光する白色ＬＥＤ１０５と、赤色ＬＥＤ１０２と、緑色ＬＥＤ１０３と、青色ＬＥＤ１０４とがいずれも基板１００上に複数配設されている。図１０中の各ハッチングは、ハッチングの種類によって同一種類のＬＥＤであることを示している。図１０のハッチングにて示すように、赤色ＬＥＤ１０２と緑色ＬＥＤ１０３とは基板１００の中心に対して点対称になるように配置される。これらの赤色ＬＥＤ１０２及び緑色ＬＥＤ１０３の周囲において、青色ＬＥＤ１０４と白色ＬＥＤ１０５とが、基板１００の中心に対して点対称になるように配置される。
【０１１９】
即ち、本実施の形態においては、基板１００の中心に対して点対称な位置に同一色光を発する各ＬＥＤを配置すると共に、隣接位置に相互に補色の関係を有する色光を発するＬＥＤを配置している。これにり、近接した位置のＬＥＤ同士で白色光を出しやすくなると共に、むらの少ない混光が可能である。
【０１２０】
また、本実施の形態においても、点灯装置は、赤色ＬＥＤ１０２、緑色ＬＥＤ１０３、青色ＬＥＤ１０４及び白色ＬＥＤ１０５について、上記表２〜５又は図９のように、各ＬＥＤの半値幅、ピーク波長及び混光比を制御しており、所望の相関色温度、偏差を有し、且つ目標とする効率、平均演色評価数Ｒａ及び色域面積比Ｇａを有する照明装置を構成している。
【０１２１】
本実施の形態においては、このように各ＬＥＤを配置することによって、照射面の色のむらを抑制することができる。また各ＬＥＤ相互の間隔を１ｍｍ以下となるように構成することで、照射面にできる影のむらを数ミリ以下の気にならないレベルに抑制することが可能となる。
【０１２２】
このように、本実施の形態においては、照射面の色むら、影の色むらを改善した照明装置、例えばダウンライト照明器具等を構成することができる。
【０１２３】
図１２及び図１３は本発明の第４の実施の形態に係り、図１２及び図１３は照明装置の概略構成を示す説明図であり、図１２は光源装置の平面形状を示し、図１３は光源装置の断面形状及び点灯装置の一部を示している。なお、本実施の形態に係る光源装置が組み込まれた照明装置の外観は図１１と同様であり、図示を省略する。
【０１２４】
上述したように、各色のＬＥＤの混光比を制御することにより、所望の相関色温度を有し、所望の色域面積比Ｇａを有する照明装置を構成することができる。しかしながら、各ＬＥＤ毎に、熱による光束低下や、チップ材料による経年劣化等の状態が相違することから、混光による照明は、時間の経過に伴って光色が変化してしまう虞がある。
【０１２５】
そこで、本実施の形態は、各ＬＥＤによる混光の状態を検出して各ＬＥＤを制御することで、光色が変化することを防止するものである。
【０１２６】
図１２の基板１２０は、筐体１１０（図１１参照）内に配置されている。図１２及び図１３に示すように、光源装置は、基板１２０上に複数のＬＥＤ１２１が配置されて構成される。各ＬＥＤ１２１は、赤色ＬＥＤ、緑色ＬＥＤ、青色ＬＥＤ又は白色ＬＥＤである。
【０１２７】
図１２の例では、各ＬＥＤ１２１は、基板１２０の略中央部分を除き、基板１２０上にマトリクス状に配置されている。基板１２０の中央部分には、ＲＧＢセンサ１２４が配設されており、このＲＧＢセンサ１２４は、ＬＥＤ１２１の出射面よりも高い位置まで立設された遮光フード１２３によって周囲が覆われている。各ＬＥＤ１２１からの出射光は、図１１の拡散板１１２を介して出射されるようになっている。
【０１２８】
また、各ＬＥＤ１２１の出射光は、拡散板１１２によって反射されて、ＲＧＢセンサ１２４にも入射するようになっている。ＲＧＢセンサ１２４が各ＬＥＤ１２１からの直射光を検出すると、ＲＧＢセンサ１２４の検出結果は、ＲＧＢセンサ１２４近傍のＬＥＤ１２１の光色の影響を大きく受ける。そこで、本実施の形態においては、ＬＥＤ１２１の出射面の高さよりも高い位置まで立設された遮光フード１２３を設け、ＲＧＢセンサ１２４に各ＬＥＤ１２１からの直接光が入射されることを阻止する。
【０１２９】
即ち、ＲＧＢセンサ１２４には、遮光フード１２３によって各ＬＥＤ１２１からの直接光の入射が阻止され、拡散板１１２からの反射光のみが入射される。拡散板１１２の反射光は、各ＬＥＤ１２１による混光であり、ＲＧＢセンサ１２４は、各ＬＥＤ１２１の出射光に基づく混光から赤色光成分、青色光成分、緑色光成分を夫々検出して、検出結果を点灯装置内の制御部１２５に出力するようになっている。
【０１３０】
制御部１２５は、検出された混光中の各色光成分に基づいて、赤色ＬＥＤ、緑色ＬＥＤ、青色ＬＥＤ又は白色ＬＥＤの混光比が、例えば、上記表２〜５又は図９の設定値になるように、各ＬＥＤの半値幅、ピーク波長及び混光比を制御する。
【０１３１】
なお、ＬＥＤ１２１に流す電流とＬＥＤ１２１からの光束との関係は、ＬＥＤチップの特性によって異なることから、制御部１２５は予めＬＥＤの種類毎に、電流と光束との関係についての表や関係式を保持し、これらの表や関係式等を用いて、一定の混光比が得られるように制御する。
【０１３２】
このような構成によれば、各ＬＥＤ毎の特性又は経年変化の相違等に拘わらず、常に、常に一定の混光比で各ＬＥＤ１２１を駆動することができる。これにより、所望の相関色温度、偏差を有し、且つ目標とする効率、平均演色評価数Ｒａ及び色域面積比Ｇａを有する照明装置を安定的に得ることができる。
【０１３３】
このように、本実施の形態においては、各ＬＥＤ毎の特性や経年劣化等に拘わらず、常に一定の混光比を設定して光色が変化することを防止することができる。
【０１３４】
なお、上記各実施の形態においては、青色ＬＥＤと黄色蛍光体によって構成される白色ＬＥＤを用いる例について説明したが、この白色ＬＥＤに代えて黄色の色光を発する黄色ＬＥＤを採用してもよい。
【０１３５】
図１４乃至図１９は本発明の第５の実施の形態を説明するためのグラフである。
【０１３６】
本実施の形態は図１と同様に構成された照明装置において、色域面積比だけでなく、ＪＩＳ演色評価試験色を基準としたａ＊ｂ＊色度座標図上のクロマ差を所望の値に設計したものである。
【０１３７】
上記各実施の形態においては、色を鮮やかに見せるための演色評価方法として色域面積比Ｇａを用いた。しかし、店舗照明等においては、物体を際立ってあざやかに見せることが求められることがある。関連技術である特許文献２（特開2003-045206）及び特許文献３（特開2006-261702）等においては、鮮やかさを低下させないための指標として色域面積比Ｇａ，Ｇａ４を用いている。Ｇａは、ＪＩＳ演色評価試験色Ｎｏ．１〜８を基準光で照らした時の色度座標上の８点を結んで形成される色域面積と、試験光で照らした時の色度座標上の８点を結んで形成される色域面積の比である。また、Ｇａ４は、ＪＩＳ演色評価試験色Ｎｏ．９〜１２を基準光で照らした時の色度座標上の４点を結んで形成される色域面積と、試験光で照らした時の色度座標上の４点を結んで形成される色域面積の比である。そして、上記特許文献２，３の提案では、あざやかさを低下させないための条件として、Ｇａ＜Ｇａ４を挙げている。
【０１３８】
しかしながら、Ｇａ＜Ｇａ４であったとしても、色域が色度座標上で緑方向に広がり、赤方向には狭まっていて、赤があざやかに見えない場合や、色域が色度座標上で赤方向に広がり、緑方向に狭まっていて、緑が鮮やか見えない場合が存在し、特許文献２，３等の装置においては、物体を十分に鮮やかさに見えるように照明することはできない。また、平均演色評価数Ｒａとして十分な値を得ることもできない。
【０１３９】
そこで、本実施の形態においては、色域面積比Ｇａだけでなく、特に赤の鮮やかさの指標である赤の試験色についての基準光とのクロマ差を規定の値とすることで、平均的なあざやかさを向上させつつ、赤色物体のあざやかさを向上させるようになっている。
【０１４０】
本実施の形態においては、赤の試験色についての基準光とのクロマ差として、ＪＩＳ演色評価試験色Ｎｏ．９を試験光で照らした時のａ＊ｂ＊色度座標図上の点と原点との距離から、基準光で照らした時のａ＊ｂ＊色度座標図上の点と原点との距離を差し引いた値（以下、ΔＣ＊ａｂ（Ｎｏ．９）という）を用いる。
【０１４１】
即ち、本実施の形態においては、青色に発光する青色ＬＥＤと黄色に発光する黄色蛍光体とによって構成される白色ＬＥＤと、白色光を得るための赤色ＬＥＤ、緑色ＬＥＤ及び青色ＬＥＤの３つのＬＥＤとの計４つのＬＥＤによって光源装置を構成し、４つのＬＥＤの出力比を変化させることで、色域面積比Ｇａを１０５％以上又は１１０％以上と向上させ、指標ΔＣ＊ａｂ（Ｎｏ．９）を４以上とするようになっている。
【０１４２】
図１４乃至図１６は横軸に色域面積比Ｇａをとり縦軸に鮮やかさの評価値をとって、赤色、緑色、青色及び白色ＬＥＤによって構成される光源装置により食品を照明した場合における色域面積比Ｇａと食品の新鮮さの評価との関係を示すグラフである。なお、図１４乃至図１６は、夫々相関色温度が２８００Ｋで偏差の絶対値が０．０２以内の照明を得る光源装置、相関色温度が３５００Ｋで、偏差の絶対値が０．０２以内の照明を得る光源装置又は相関色温度が５０００Ｋで、偏差の絶対値が０．０２以内の照明を得る光源装置についての例である。
【０１４３】
図１４に示すように、相関色温度が２８００Ｋの光源装置では、比較的新鮮に見えると判断される評価値５以上を得るためには、おおよそ１１０％以上１４０％以下の色域面積比Ｇａが必要であることが分かる。
【０１４４】
また、図１５に示すように、相関色温度が３５００Ｋの光源装置では、比較的新鮮に見えると判断される評価値５以上を得るためには、おおよそ１０５％以上１４０％以下の色域面積比Ｇａが必要であることが分かる。
【０１４５】
また、図１６に示すように、相関色温度が５０００Ｋの光源装置では、比較的新鮮に見えると判断される評価値５以上を得るためには、おおよそ１０５％以上１４０％以下の色域面積比Ｇａが必要であることが分かる。
【０１４６】
図１７乃至図１９は横軸にΔＣ＊ａｂ（Ｎｏ．９）をとり縦軸に赤の鮮やかさの評価値をとって、赤色、緑色、青色及び白色ＬＥＤによって構成される光源装置により食品を照明した場合におけるΔＣ＊ａｂ（Ｎｏ．９）と赤の鮮やかさの評価との関係を示すグラフである。なお、図１７乃至図１９は、夫々相関色温度が２８００Ｋで偏差の絶対値が０．０２以内の照明を得る光源装置、相関色温度が３５００Ｋで、偏差の絶対値が０．０２以内の照明を得る光源装置又は相関色温度が５０００Ｋで、偏差の絶対値が０．０２以内の照明を得る光源装置についての例である。
【０１４７】
図１７乃至図１９に示すように、相関色温度が２８００Ｋ，３５００Ｋ，５０００Ｋの光源装置では、比較的赤が鮮やかに見えると判断される評価値５以上を得るためには、おおよそ４以上のΔＣ＊ａｂ（Ｎｏ．９）が必要であることが分かる。
【０１４８】
このように本実施の形態においては、赤色、緑色、青色及び白色ＬＥＤによって構成される光源装置において、色域面積比Ｇａを１０５％以上（又は１１０％以上）１４０％以下に設定すると共に、赤の試験色を用いたクロマ差による指標ΔＣ＊ａｂ（Ｎｏ．９）を４以上に設定する。これにより、本実施の形態における照明装置を用いることで、被照明物を際だって鮮やかに見せることが可能である。特に、店舗に陳列された食品を本実施の形態における光源装置によって照明すると、食品を新鮮に見せることができるという利点がある。
【０１４９】
なお、上記第２乃至第４の実施の形態を本実施の形態に適用することにより、色域面積比、平均演色評価数（Ｒａ）及び効率を所望の値に設計しながら、被照明物を際だって鮮やかに見せることも可能である。
【０１５０】
図２０乃至図２２は本発明の第６の実施の形態を説明するためのグラフである。
【０１５１】
本実施の形態は赤の試験色を用いたクロマ差に代えて緑の試験色を用いたクロマ差を採用して光源装置を設計した点が第５の実施の形態と異なる。他の構成は第５の実施の形態と同様である。これにより、本実施の形態においては、平均的なあざやかさを向上させつつ、特に緑色物体のあざやかさを向上させるようになっている。
【０１５２】
本実施の形態においては、緑の試験色を用いたクロマ差として、ＪＩＳ演色評価試験色Ｎｏ．１１を試験光で照らした時のａ＊ｂ＊色度座標図上の点と原点との距離から、基準光で照らした時のａ＊ｂ＊色度座標図上の点と原点との距離を差し引いた値（以下、ΔＣ＊ａｂ（Ｎｏ．１１）という）を用いる。
【０１５３】
即ち、本実施の形態においては、青色に発光する青色ＬＥＤと黄色に発光する黄色蛍光体とによって構成される白色ＬＥＤと、白色光を得るための赤色ＬＥＤ、緑色ＬＥＤ及び青色ＬＥＤの３つのＬＥＤとの計４つのＬＥＤによって光源装置を構成し、４つのＬＥＤの出力比を変化させることで、色域面積比Ｇａを１０５％以上又は１１０％以上と向上させ、指標ΔＣ＊ａｂ（Ｎｏ．１１）を３以上又は２以上とするようになっている。
【０１５４】
図２０乃至図２２は横軸にΔＣ＊ａｂ（Ｎｏ．１１）をとり縦軸に緑の鮮やかさの評価値をとって、赤色、緑色、青色及び白色ＬＥＤによって構成される光源装置により食品を照明した場合におけるΔＣ＊ａｂ（Ｎｏ．１１）と緑の鮮やかさの評価との関係を示すグラフである。なお、図２０乃至図２２は、夫々相関色温度が２８００Ｋで偏差の絶対値が０．０２以内の照明を得る光源装置、相関色温度が３５００Ｋで、偏差の絶対値が０．０２以内の照明を得る光源装置又は相関色温度が５０００Ｋで、偏差の絶対値が０．０２以内の照明を得る光源装置についての例である。
【０１５５】
図２０及び図２１に示すように、相関色温度が２８００Ｋ，３５００Ｋの光源装置では、比較的緑が鮮やかに見えると判断される評価値５以上を得るためには、おおよそ３以上のΔＣ＊ａｂ（Ｎｏ．１１）が必要であることが分かる。
【０１５６】
また、図２２に示すように、相関色温度が５０００Ｋの光源装置では、比較的緑が鮮やかに見えると判断される評価値５以上を得るためには、おおよそ２以上のΔＣ＊ａｂ（Ｎｏ．１１）が必要であることが分かる。
【０１５７】
なお、色域面積比Ｇａと食品の新鮮さの評価との関係については、図１４乃至図１６に示した通りであり、本実施の形態においても、色域面積比Ｇａについては１０５％以上１４０％以下に設定する。
【０１５８】
このように本実施の形態においては、赤色、緑色、青色及び白色ＬＥＤによって構成される光源装置において、色域面積比Ｇａを１０５％以上１４０％以下に設定すると共に、緑の試験色を用いたクロマ差による指標ΔＣ＊ａｂ（Ｎｏ．１１）を２又は３以上に設定する。これにより、本実施の形態における照明装置を用いることで、被照明物を際だって鮮やかに見せることが可能である。特に、店舗に陳列された食品を本実施の形態における光源装置によって照明すると、食品を新鮮に見せることができるという利点がある。
【０１５９】
また、本実施の形態においても、上記第２乃至第４の実施の形態を適用することにより、色域面積比、平均演色評価数（Ｒａ）及び効率を所望の値に設計しながら、被照明物を際だって鮮やかに見せることが可能である。
【０１６０】
図２３は本発明の第７の実施の形態を説明するための説明図である。
【０１６１】
第５及び第６の実施の形態においては、光源装置における赤又は緑のａ＊ｂ＊色度座標図上のクロマ差の値を規定した。このクロマ差は、ａ＊ｂ＊色度座標図上における原点と基準光に基づく点との距離と、原点と試験光に基づく点との距離との差であり、試験光に基づく点に対応する色相が赤又は緑から著しく相違する場合については考慮していない。
【０１６２】
本実施の形態は図１と同様に構成された照明装置において、色域面積比だけでなく、ａ＊ｂ＊色度座標図上の色相を所望の値に設計したものである。
【０１６３】
図２３はａ＊ｂ＊色度図とマンセル色相環における色相の関係を示したものである（A. R. Robertson, Color Research and Application, Vol.2, No.1, p.7-11, 1977）。赤の範囲はａｂ色相角ｈａｂがおよそ0°〜45°の領域又は315°〜360°の領域であり、緑の範囲はａｂ色相角ｈａｂがおよそ135°〜225°の領域であることが分かる。
【０１６４】
そこで、本実施の形態においては、ＪＩＳ演色評価試験色No.9を試験光で照らした時の、ａ＊ｂ＊色度座標図上におけるａｂ色相角ｈａｂ（Ｎｏ．９）が、0°〜45°の領域または315°〜360°の領域に入るように設計を行う。なお、この領域から外れた場合には、赤は色相がずれて黄、青や緑に見えてしまう。
【０１６５】
また、ＪＩＳ演色評価試験色No.１１を試験光で照らした時の、ａ＊ｂ＊色度座標図上のａｂ色相角ｈａｂ（Ｎｏ．１１）が135°〜225°の領域に入るように設計を行う。なお、この領域から外れると、緑は色相がずれて黄、青や赤に見えてしまう。
【０１６６】
なお、色域面積比Ｇａについては、上記第５又は第６の実施の形態と同様の設定でよい。
【０１６７】
また、本実施の形態においては、色域面積比とａ＊ｂ＊色度座標図上の色相とについて規定する例を説明したが、第４及び第５の実施の形態と同様に、色域面積比及びａ＊ｂ＊色度座標図上のクロマ差の値並びに、ａ＊ｂ＊色度座標図上の色相について規定するようにしてもよいことは明らかである。
【０１６８】
このように本実施の形態においては、赤色、緑色、青色及び白色ＬＥＤによって構成される光源装置において、色域面積比Ｇａを１０５％以上１４０％以下に設定すると共に、ａ＊ｂ＊色度座標図上の色相を、赤の範囲としてａｂ色相角ｈａｂがおよそ0°〜45°の領域又は315°〜360°の領域とし、緑の範囲としてａｂ色相角ｈａｂがおよそ135°〜225°の領域に設定する。
【０１６９】
これにより、本実施の形態における照明装置を用いることで、被照明物を際だって鮮やかに見せることが可能である。特に、店舗に陳列された食品を本実施の形態における光源装置によって照明すると、食品を新鮮に見せることができるという利点がある。
【０１７０】
また、本実施の形態においても、上記第２乃至第４の実施の形態を適用することにより、色域面積比、平均演色評価数（Ｒａ）及び効率を所望の値に設計しながら、被照明物を際だって鮮やかに見せることが可能である。
【０１７１】
以上の実施の形態に記載した発明は、その実施の形態に限ることなく、その他、実施段階ではその要旨を逸脱しない範囲で種々の変形を実施し得ることが可能である。さらに、前記実施の形態には、種々の段階の発明が含まれており、開示される複数の構成要件における適宜な組合せにより種々の発明が抽出され得る。
【０１７２】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【０１７３】
１…照明装置、
２…装置本体、
３…光源装置、
３ａ…白色ＬＥＤ、
３ｂ…ＲＧＢチップ、
５ａ…赤色ＬＥＤ（ＲＬＥＤ）、
５ｂ…緑色ＬＥＤ（ＧＬＥＤ）、
５ｃ…青色ＬＥＤ（ＢＬＥＤ）。
【図１】
2011204659.tif 000009
【図２】
2011204659.tif 000010
【図３】
2011204659.tif 000011
【図４】
2011204659.tif 000012
【図５】
2011204659.tif 000013
【図６】
2011204659.tif 000014
【図７】
2011204659.tif 000015
【図８】
2011204659.tif 000016
【図９】
2011204659.tif 000017
【図１０】
2011204659.tif 000018
【図１１】
2011204659.tif 000019
【図１２】
2011204659.tif 000020
【図１３】
2011204659.tif 000021
【図１４】
2011204659.tif 000022
【図１５】
2011204659.tif 000023
【図１６】
2011204659.tif 000024
【図１７】
2011204659.tif 000025
【図１８】
2011204659.tif 000026
【図１９】
2011204659.tif 000027
【図２０】
2011204659.tif 000028
【図２１】
2011204659.tif 000029
【図２２】
2011204659.tif 000030
【図２３】
2011204659.tif 000031